(57)【特許請求の範囲】
【請求項１】
便鉢及び該便鉢の下流側に連通する便器排水路を有する便器本体に連通する排水口が設けられた洗浄タンク本体と、該排水口を開閉する排水弁と、該洗浄タンク本体に洗浄水を供給する給水装置とを備えた洗浄タンク装置において、
前記洗浄タンク本体は、第１貯留部と、第１連通孔が貫設された隔壁により、上貯留部及び下貯留部の上下に区画された第２貯留部とを有し、
該下貯留部は該第１貯留部に連通し、該上貯留部は吸排気路を介して前記便器排水路に接続可能であり、
前記排水弁を開弁し、前記洗浄タンクに貯留した洗浄水を前記排水口から前記便器本体に流出する便器洗浄を開始すると、前記第１貯留部に貯留した洗浄水が一気に前記排水口から流出して前記第１貯留部の水位が急激に低下する一方、前記上貯留部に貯留した洗浄水は前記第１連通孔から前記下貯留部に流下して該上貯留部の水位はゆっくりと低下し、その後、該上貯留部に貯留した洗浄水の全てが該第１連通孔を通じて該下貯留部に流下すると、該下貯留部に貯留した洗浄水が一気に流出することを特徴とする洗浄タンク装置。
【請求項２】
前記第２貯留部は、前記洗浄タンク本体内に軸方向が上下方向になるように配置された筒体と、該筒体の上下方向の中間部の内側面に設けられた前記隔壁とにより形成されている請求項１記載の洗浄タンク装置。
【請求項３】
便鉢及び該便鉢の下流側に連通する便器排水路を有する便器本体に連通する排水口が設けられた洗浄タンク本体と、該排水口を開閉する排水弁と、該洗浄タンク本体に洗浄水を供給する給水装置とを備えた洗浄タンク装置において、
前記洗浄タンク本体は、第１貯留部と、第１連通孔が貫設された隔壁により、上貯留部及び下貯留部の上下に区画された第２貯留部とを有し、
該下貯留部は該第１貯留部に連通し、該上貯留部は吸排気路を介して前記便器排水路に接続可能であり、
前記隔壁は第２連通孔が貫設され、該第２連通孔は前記下貯留部に収納されたフロートにより閉塞可能であることを特徴とする洗浄タンク装置。
【請求項４】
便鉢及び該便鉢の下流側に連通する便器排水路を有する便器本体に連通する排水口が設けられた洗浄タンク本体と、該排水口を開閉する排水弁と、該洗浄タンク本体に洗浄水を供給する給水装置とを備えた洗浄タンク装置において、
前記洗浄タンク本体は、第１貯留部と、第１連通孔が貫設された隔壁により、上貯留部及び下貯留部の上下に区画された第２貯留部とを有し、
該下貯留部は該第１貯留部に連通し、該上貯留部は吸排気路を介して前記便器排水路に接続可能であり、
前記第１連通孔には、開口面積を可変可能な絞り機構が設けられていることを特徴とする洗浄タンク装置。
【請求項５】
前記吸排気路は吸排気タンクを介装し、
該吸排気タンク内は、変形可能な隔膜によって第１室と第２室とに区画され、
該第１室は前記上貯留部に連通し、該第２室は前記便器排水路に連通する請求項１乃至４のいずれか１項記載の洗浄タンク装置。
【請求項６】
便鉢及び該便鉢の下流側に連通する便器排水路を有する便器本体と、請求項１乃至５のいずれか１項記載の洗浄タンク装置とを備え、
該便器排水路に設けられた吸排気口に前記吸排気路を介して前記上貯留部が接続され、
該便鉢の上部開口の周縁に設けられたリム通水路に前記排水口が連通されていることを特徴とする水洗式便器。
【発明の詳細な説明】
【技術分野】
【０００１】
本発明は洗浄タンク装置及び水洗式便器に関する。
【背景技術】
【０００２】
特許文献１に従来の水洗式便器が開示されている。この水洗式便器は、便鉢及び便鉢の下流側に連通する便器排水路を有する便器本体と、洗浄タンク装置とを備えている。洗浄タンク装置は、便鉢に連通する排水口が設けられた洗浄タンク本体と、排水口を開閉するフロート弁と、洗浄タンク本体に洗浄水を供給する給水装置とを備えている。洗浄タンク本体内には、軸方向が上下方向になるように中空管が配置されている。中空管は、下端が洗浄タンク本体内に開口し、上端が洗浄タンク本体内に貯留される洗浄水の最高水位よりも上方まで伸びている。中空管の上端は吸排気通路を介して便器排水路に連通されている。
【０００３】
この水洗式便器では、便器洗浄を行うためにフロート弁が開弁されると、洗浄タンク本体内の洗浄水の水位が低下するとともに、中空管内の水位も低下するため、便器排水路の空気が吸排気管を介して中空管に吸引される。これにより、便鉢から便器排水路に流入する洗浄水は勢いを増し、増加する。このため、サイホン作用が確実に発生し、汚物を便器本体外に排出することができる。
【０００４】
【特許文献１】実開平５−５７０８０号公報
【発明の開示】
【発明が解決しようとする課題】
【０００５】
しかし、上記従来の水洗式便器では、洗浄タンク本体内の洗浄水の水位の低下と同じように中空管内の水位は低下する。このため、便器洗浄が開始され、洗浄タンク本体からの洗浄水の流出が終了するまでの間、中空管は便器排水路の空気を略一定の強さで吸引する。このため、この水洗式便器では、便器洗浄途中で便器排水路の空気の吸引を強くしてサイホン作用を強化させることができず、便器本体からの汚物の排出性能を向上させる効果が小さい。
【０００６】
本発明は、上記従来の実情に鑑みてなされたものであって、便器洗浄を良好に行うことができる洗浄タンク装置及び水洗式便器を提供することを解決すべき課題としている。
【課題を解決するための手段】
【０００７】
本発明の洗浄タンク装置は、便鉢及び該便鉢の下流側に連通する便器排水路を有する便器本体に連通する排水口が設けられた洗浄タンク本体と、該排水口を開閉する排水弁と、該洗浄タンク本体に洗浄水を供給する給水装置とを備えた洗浄タンク装置において、
前記洗浄タンク本体は、第１貯留部と、第１連通孔が貫設された隔壁により、上貯留部及び下貯留部の上下に区画された第２貯留部とを有し、
該下貯留部は該第１貯留部に連通し、該上貯留部は吸排気路を介して前記便器排水路に接続可能であり、
前記排水弁を開弁し、前記洗浄タンクに貯留した洗浄水を前記排水口から前記便器本体に流出する便器洗浄を開始すると、前記第１貯留部に貯留した洗浄水が一気に前記排水口から流出して前記第１貯留部の水位が急激に低下する一方、前記上貯留部に貯留した洗浄水は前記第１連通孔から前記下貯留部に流下して該上貯留部の水位はゆっくりと低下し、その後、該上貯留部に貯留した洗浄水の全てが該第１連通孔を通じて該下貯留部に流下すると、該下貯留部に貯留した洗浄水が一気に流出することを特徴とする。
【０００８】
この洗浄タンク装置では、排水弁が開弁され、洗浄タンク本体に貯留された洗浄水が排水口から便器本体に流出して便器洗浄が行われる。この便器洗浄の初期においては、主に第１貯留部に貯留された洗浄水が便器本体に流出する。この間、第２貯留部において、上貯留部に貯留された洗浄水は、第１連通孔の流動抵抗を受けながら、下貯留部にゆっくりと流下する。このため、第２貯留部に貯留された洗浄水の減少は少ない。よって、第２貯留部に貯留された洗浄水の減少により便器排水路から吸引される空気も僅かである。
【０００９】
その後、上貯留部に貯留された洗浄水の全てが第１連通孔を通じて下貯留部に流下すると、洗浄水に比べて空気は第１連通孔を通過する際の流動抵抗が小さいため、第１連通孔から空気が勢いよく下貯留部に流入し、下貯留部に貯留された洗浄水は一気に流出する。また、下貯留部に貯留された洗浄水が一気に減少するため、便器排水路から空気が一気に吸引される。つまり、排水口から便器本体に流出する洗浄水の流量を増加させつつ、便器排水路からの空気の吸引流量も増加させることができる。このため、サイホン作用を強化するとともに継続させることができ、便器本体からの汚物の排出を確実に行うことができる。
【００１０】
したがって、本発明の洗浄タンク装置は、便器洗浄を良好に行うことができる。
【００１１】
第２貯留部は、洗浄タンク本体内に軸方向が上下方向になるように配置された筒体と、筒体の上下方向の中間部の内側面に設けられた隔壁とにより形成され得る。この場合、洗浄タンク本体内に隔壁を有する筒体を配置するだけで、洗浄タンク本体は第１貯留部と第２貯留部とを容易に有することができる。また、既存の洗浄タンク本体に対しても、筒体を後付けすることにより、便器洗浄性能を向上させることができる。
【００１２】
本発明の他の洗浄タンク装置は、便鉢及び該便鉢の下流側に連通する便器排水路を有する便器本体に連通する排水口が設けられた洗浄タンク本体と、該排水口を開閉する排水弁と、該洗浄タンク本体に洗浄水を供給する給水装置とを備えた洗浄タンク装置において、
前記洗浄タンク本体は、第１貯留部と、第１連通孔が貫設された隔壁により、上貯留部及び下貯留部の上下に区画された第２貯留部とを有し、
該下貯留部は該第１貯留部に連通し、該上貯留部は吸排気路を介して前記便器排水路に接続可能であり、
前記隔壁は第２連通孔が貫設され、該第２連通孔は前記下貯留部に収納されたフロートにより閉塞可能であることを特徴とする。
この場合、上貯留部に貯留された洗浄水の全てが第１連通孔を通じて下貯留部に流下すると、下貯留部に貯留された洗浄水の水位が低下し始める。これにより、フロートが下降し、第２連通孔が開放されるため、第２連通孔を介しても、空気が勢いよく下貯留部に流入することができる。このため、下貯留部に貯留された洗浄水はさらに勢いよく流出する。また、下貯留部に貯留された洗浄水がさらに勢いよく減少するため、便器排水路から空気がより勢いよく吸引される。つまり、排水口から便器本体に流出する洗浄水の流量をさらに増加させつつ、便器排水路からの空気の吸引流量もさらに増加させることができる。よって、サイホン作用をさらに強化するとともに継続させることができ、便器本体からの汚物の排出をより確実に行うことができる。
【００１３】
本発明の他の洗浄タンク装置は、便鉢及び該便鉢の下流側に連通する便器排水路を有する便器本体に連通する排水口が設けられた洗浄タンク本体と、該排水口を開閉する排水弁と、該洗浄タンク本体に洗浄水を供給する給水装置とを備えた洗浄タンク装置において、
前記洗浄タンク本体は、第１貯留部と、第１連通孔が貫設された隔壁により、上貯留部及び下貯留部の上下に区画された第２貯留部とを有し、
該下貯留部は該第１貯留部に連通し、該上貯留部は吸排気路を介して前記便器排水路に接続可能であり、
前記第１連通孔には、開口面積を可変可能な絞り機構が設けられていることを特徴とする。
この場合、上貯留部に貯留された洗浄水が第１連通孔を通じて下貯留部に流下し終えるまでに要する時間を変更することができる。このため、排水口から便器本体に流出する洗浄水の流量を増加させるタイミング及び便器排水路からの空気の吸引流量を増加させるタイミングを容易に変更することができ、これらタイミングを便器洗浄に最適にすることができる。
【００１４】
吸排気路は吸排気タンクを介装し、吸排気タンクの内部は変形可能な隔膜によって第１室と第２室とに区画され、第１室は上貯留部に連通し、第２室は便器排水路に連通し得る。この場合、第２貯留部に貯留された洗浄水が減少することにより第１室内の空気が吸排気路を介して第２貯留部に吸引される。これにより、隔膜が変形し、第１室の容量が減少するとともに、第２室の容量が増加するため、便器排水路の空気を第２室内に吸引することができる。また、隔膜により、上貯留部と便器排水路とは完全に遮断されているため、便器排水路内の臭気を含んだ空気等が洗浄タンク本体内へ拡散されることを確実に防止することができる。
【００１５】
本発明の水洗式便器は、便鉢及び便鉢の下流側に連通する便器排水路を有する便器本体と、請求項１乃至５のいずれか１項記載の洗浄タンク装置とを備え、
該便器排水路に設けられた吸排気口に前記吸排気路を介して前記上貯留部が接続され、
該便鉢の上部開口の周縁に設けられたリム通水路に前記排水口が連通されていることを特徴とする。
【００１６】
この水洗式便器では、便器洗浄の初期に第１貯留部に貯留された洗浄水がリム通水路に流出する。このため、大流量の洗浄水が便鉢及び便器排水路に流入し、サイホン作用を発生させることができる。この後、所定のタイミングで、排水口からリム通水路へ流出する洗浄水の流量が増加するとともに、便器排水路からの空気の吸引流量も増加する。よって、サイホン作用が強化されるとともに継続されるため、便鉢内に残留する汚物、特に浮遊汚物を効果的に排出することができる。
【発明を実施するための最良の形態】
【００１７】
以下、本発明の洗浄タンク装置を備えた水洗式便器を具体化した実施例１〜４を図面を参照しつつ説明する。
【実施例１】
【００１８】
実施例１の水洗式便器は、図１に示すように、便器本体１と洗浄タンク装置１０とを備えている。便器本体１は、便鉢２と、便鉢２の下流側に連通する便器排水路３とを有している。便鉢２と便器排水路３とにより封水部４が形成されている。封水部４よりも下流側の便器排水路３には、上方に向けて開口する吸排気口３Ａが設けられている。吸排気口３Ａは、後述する第２貯留部１５の上貯留部１５Ａに吸排気路８を介して接続されている。便器排水路３の下流端には、径寸法を狭める絞り部６が設けられている。便鉢２の上部開口の内周縁には、リム通水路５が形成されている。
【００１９】
洗浄タンク装置１０は、排水口１２が下面に設けられた洗浄タンク本体１１と、排水口１２を開閉する排水弁であるフロート弁２０と、洗浄タンク本体１１に洗浄水を供給する給水装置であるボールタップ３０とを備えている。
【００２０】
洗浄タンク本体１１の排水口１２は、便器本体１のリム通水路５に洗浄水路７を介して接続されている。洗浄タンク本体１１には、フロート弁２０よりも下流側の洗浄水路７に一端が接続され、他端が洗浄タンク本体１１の洗浄水の最高水位Ｌ１よりも上方に伸びて開口するオーバーフロー管１３が設けられている。
【００２１】
洗浄タンク本体１１は、第１貯留部１４と、第２貯留部１５とを有している。第２貯留部１５は、軸方向が上下方向となるように洗浄タンク本体１１内に配置された筒体１７内に形成されている。筒体１７内は、上下方向の中間部の内側面に設けられ、第１連通孔１６Ａが貫設された隔壁１６により、上貯留部１５Ａと下貯留部１５Ｂとに区画されている。筒体１７の下端開口は洗浄タンク本体１１の下面近傍で下方に向いて開口し、下貯留部１５Ｂと第１貯留部１４とは連通している。また、筒体１７の上端には、開口１８Ａが貫設された上部壁１８が設けられている。開口１８Ａは吸排気路８を介して便器排水路３の吸排気口３Ａに接続している。このように、第１貯留部１４と第２貯留部１５とを洗浄タンク本体１１に容易に形成することができる。また、既存の洗浄タンク本体に対しても、筒体１７を取り付けることにより、第１貯留部１４と第２貯留部１５とを容易に形成することができる。
【００２２】
吸排気路８は、吸排気タンク８０を介装している。吸排気タンク８０内は、変形可能な隔膜８１によって第１室８２と第２室８３とに区画されている。第１室８２は上貯留部１５Ａに連通し、第２室８３は便器排水路３に連通している。このように、隔膜８１により、上貯留部１５Ａと便器排水路３とは完全に遮断されているため、便器排水路３内の臭気を含んだ空気等が洗浄タンク本体１１内へ拡散されることを確実に防止することができる。
【００２３】
フロート弁２０は、玉鎖２３が連結された弁体であるゴム玉２１と、排水口１２に設けられた弁座２２とを有している。玉鎖２３の上端は、図示しない洗浄レバーに連結されている。洗浄レバーが操作されると、ゴム玉２１は引き上げられ、排水口１２から洗浄水が流出する。
【００２４】
ボールタップ３０は、先端が洗浄タンク本体１１内に洗浄水を吐水する吐水口３１Ａである給水管３１と、給水管３１の途中に設けられた開閉弁３２と、先端が浮玉３３に接続され、開閉弁３２を開閉するアーム３４とから構成されている。給水管３１の上流端は便器本体１が据え置かれるトイレルームに引き出された水道管に接続された図示しない止水栓に接続されている。洗浄タンク本体１１内に貯留された洗浄水の水位が最高水位Ｌ１より低下し、浮玉３３が下降すると、開閉弁３２は開弁され、吐水口３１Ａから洗浄水が洗浄タンク本体１１内に吐水される。
【００２５】
このような構成を有する実施例１の水洗式便器における便器洗浄について説明する。
【００２６】
便器洗浄の待機状態では、図１に示すように、洗浄タンク本体１１には、洗浄水が最高水位Ｌ１まで貯留されている。このため、ボールタップ３０の開閉弁３２は閉弁されている。便器本体１の封水部４は洗浄水で水封されている。吸排気タンク８０内は、第１室８２の容量が最大にされ、第２室８３の容量が最小にされている。
【００２７】
この水洗式便器の使用者が用便後、封水部４に存在する沈降汚物Ｅ１やトイレットペーパー等の浮遊汚物Ｅ２を便器本体１から排出するために図示しない洗浄レバーが操作され、便器洗浄が開始される。
【００２８】
図２に示すように、洗浄レバーが操作されると、ゴム玉２１が玉鎖２３により引き上げられ、弁座２２から浮上し、排水口１２からリム通水路５を介して便鉢２内に洗浄水が流出する。これにより、第１貯留部１４の水位は低下し始める。また、ボールタップ３０の浮玉３３も下降するため、開閉弁３２が開弁され、ボールタップ３０の吐水口３１Ａから洗浄水が洗浄タンク本体１１内に吐水される。なお、ボールタップ３０の吐水口３１Ａから供給される洗浄水の流量よりも、排水口１２から流出する洗浄水の流量の方が多いため、洗浄タンク本体１１内の洗浄水の水位は低下し続ける。
【００２９】
図５に示すように、便器洗浄の開始直後（Ｓ〜Ｔ時点）は、排水口１２から流出する洗浄水の流量は急激に増加する。これは、図２に示すように、洗浄タンク本体１の第１貯留部１４に貯留された洗浄水が一気に排水口１２から流出するためである。第１貯留部１４の水位Ｌ２０は急激に低下する一方、第２貯留部１５の上貯留部１５Ａに貯留された洗浄水は、第１連通孔１６Ａの流動抵抗を受けながら下貯留部１５Ｂに流下するため、上貯留部１５Ａの水位Ｌ３０はゆっくりと低下する。
【００３０】
Ｓ〜Ｔ時点において、排水口１２から流出した洗浄水は、リム通水路５から便鉢２内に流下し、便鉢２内の洗浄水の水位を上昇させる一方、封水部４を介して便器排水路３に流入する。便器排水路３に流入した洗浄水は、下流端に設けられた絞り部６により、飛散し、便器排水路３の下流端を塞ぐように水膜を形成する。これにより、便器排水路３内に洗浄水が増加し、サイホン作用が発生する。サイホン作用により、沈降汚物Ｅ１等は封水部４から便器排水路３の下流側に確実に排出される。
【００３１】
第１貯留部１４の容量は、図５に示すように、サイホン作用が発生した（Ｔ時点）後に排水口１２から流出する洗浄水の流量が減少するように設定されており、第２貯留部１５の上貯留部１５Ａに貯留された洗浄水の全てが第１連通孔１６Ａを通じて下貯留部１５Ｂに流下するまで（Ｕ時点）、便鉢２内の水位は低下する。
【００３２】
Ｔ〜Ｕ時点において、便鉢２内の水位が低下する間に、図３に示すように、沈降汚物Ｅ１等は便器本体１から排出される。便鉢２内の水位が低下するに従いサイホン作用による汚物の排出能力は弱まるため、トイレットペーパー等の浮遊汚物Ｅ２は、便鉢２の下部に残留してしまうことがある。この浮遊汚物Ｅ２を排出するために、便器洗浄の途中でリム通水路５から便鉢２内に流下する洗浄水を増水させ、かつ便器排水路３からの空気の吸引を強力にすることによりサイホン作用による汚物の排出能力を強化する。このようにして、浮遊汚物Ｅ２を便器本体１から排出する。
【００３３】
つまり、図５に示すＵ時点において、第２貯留部１５の上貯留部１５Ａの洗浄水の全てが第１連通孔１６Ａを通じて下貯留部１５Ｂに流下する。すると、図４に示すように、洗浄水に比べて空気は第１連通孔１６Ａを通過する際の流動抵抗が小さいため、第１連通孔１６Ａから空気が勢いよく下貯留部１５Ｂに流入し、下貯留部１５Ｂに貯留された洗浄水は一気に流出する。また、下貯留部１５Ｂに貯留された洗浄水が一気に減少するため、吸排気路８を介して吸排気タンク８０の第１室８２の空気が第２貯留部１５に一気に吸引される。これにより、隔膜８１が変形し、第１室８２の容量が減少するとともに、第２室８３の容量が増加する。このため、便器排水路３の空気が第２室８３内に勢いよく吸引される。よって、浮遊汚物Ｅ２は便器排水路３へ押し込まれるように排出されるとともに、Ｕ〜Ｘ時点において、便鉢２内の水位は僅かに上昇する。これにより、サイホン作用は継続され、汚物排出能力が強化されるため、浮遊汚物Ｅ２を便器本体１から確実に排出することができる。
【００３４】
したがって、実施例１の洗浄タンク装置１０を備えた水洗式便器は、便器洗浄を良好に行うことができる。
【００３５】
その後、図５に示すように、Ｘ〜Ｙ時点において、排水口１２から流出する洗浄水の流量が減少するため、便鉢２内の水位は低下し、Ｙ時点において封水が破封してサイホン作用が終了する。Ｙ〜Ｚ時点において、排水口１２からリム通水路５を介して便鉢２内に流出した洗浄水により、便鉢２内の水位は上昇し、覆水が完了する。その後、ゴム玉２１は弁座２２に着座し、排水口１２は封鎖される。タンク本体１１内には、水位が最高水位Ｌ１になるまでボールタップ３０により洗浄水が供給される。これにより、水洗式便器は便器洗浄の待機状態に復帰する。
【実施例２】
【００３６】
実施例２の水洗式便器は、図６に示すように、便器本体１と洗浄タンク装置４０とを備えている。洗浄タンク装置４０は、洗浄タンク本体１１と、フロート弁２０と、ボールタップ３０とを備えている。
【００３７】
洗浄タンク本体１１は、第１貯留部１４と第２貯留部１５とを有している。第２貯留部１５は、軸方向が上下方向となるように洗浄タンク本体１１内に配置された筒体１７内に形成されている。筒体１７内は、上下方向の中間部の内側面に設けられ、第１連通孔４６Ａ及び第２連通孔４６Ｂが貫設された隔壁４６により、上貯留部１５Ａと下貯留部１５Ｂとに区画されている。
【００３８】
第２連通孔４６Ｂの下方の下貯留部１５Ｂには、球状のフロート４１が収納されている。下貯留部１５Ｂの第２連通孔４６Ｂの下方には、フロート４１が第２連通孔４６Ｂの下方に位置するように規制する規制壁４７が設けられている。規制壁４７は、筒体１７の内側面から伸び、開口４７Ｈを有する水平壁４７Ａと、水平壁４７Ａの端部から上方に伸びた垂直壁４７Ｂとから構成されている。他の構成は、実施例１と同様であり、同一の構成には同一の符号を付し、詳細な説明は省略する。
【００３９】
実施例２の水洗便器における便器洗浄について説明する。
【００４０】
便器洗浄の待機状態では、洗浄タンク本体１１には、洗浄水が最高水位Ｌ１まで貯留されている。このため、第２連通孔４６Ｂはフロート４１により閉塞されている。ボールタップ３０の開閉弁３２は閉弁されている。便器本体１の封水部４は洗浄水で水封されている。吸排気タンク８０内は、第１室８２の容量が最大にされ、第２室８３の容量が最小にされている。
【００４１】
この水洗式便器の使用者が用便後、封水部４に存在する沈降汚物Ｅ１やトイレットペーパー等の浮遊汚物Ｅ２を便器本体１から排出するために図示しない洗浄レバーが操作され、便器洗浄が開始される。
【００４２】
図７に示すように、洗浄レバーが操作されると、ゴム玉２１が玉鎖２３により引き上げられ、弁座２２から浮上し、排水口１２からリム通水路５を介して便鉢２内に洗浄水が流出する。これにより、第１貯留部１４の水位は低下し始める。また、ボールタップ３０の浮玉３３も下降するため、開閉弁３２が開弁され、ボールタップ３０の吐水口３１Ａから洗浄水が洗浄タンク本体１１内に吐水される。なお、ボールタップ３０の吐水口３１Ａから供給される洗浄水の流量よりも、排水口１２から流出する洗浄水の流量の方が多いため、洗浄タンク本体１１内の洗浄水の水位は低下し続ける。
【００４３】
便器洗浄の開始直後は、実施例１の水洗式便器と同様、排水口１２から流出する洗浄水の流量は急激に増加し、サイホン作用が発生する。これにより、沈降汚物Ｅ１等は封水部４から便器排水路３の下流側に確実に排出される。
【００４４】
サイホン作用が発生した後は排水口１２から流出する洗浄水の流量は減少し、第２貯留部１５の上貯留部１５Ａに貯留された洗浄水の全てが第１連通孔４６Ａを通じて下貯留部１５Ｂに流下するまで、便鉢２内の水位は低下する。
【００４５】
この間、図８に示すように、沈降汚物Ｅ１等は便器本体１から排出される。便鉢２内の水位が低下するに従いサイホン作用による汚物の排出能力は弱まるため、トイレットペーパー等の浮遊汚物Ｅ２は、便鉢２の下部に残留してしまうことがある。この浮遊汚物Ｅ２を排出するために、便器洗浄の途中でリム通水路５から便鉢２内に流下する洗浄水を増水させ、かつ便器排水路３からの空気の吸引を強力にすることによりサイホン作用による汚物の排出能力を強化する。このようにして、浮遊汚物Ｅ２を便器本体１から排出する。
【００４６】
つまり、第２貯留部１５の上貯留部１５Ａの洗浄水の全てが第１連通孔４６Ａを通じて下貯留部１５Ｂに流下する。すると、図９に示すように、洗浄水に比べて空気は第１連通孔４６Ａを通過する際の流動抵抗が小さいため、第１連通孔４６Ａから空気が勢いよく下貯留部１５Ｂに流入するとともに、フロート４１が下降し、第２連通孔４６Ｂが開放されるため、第２連通孔４６Ｂからも空気が勢いよく下貯留部１５Ｂに流入する。このため、下貯留部１５Ｂに貯留された洗浄水は勢いよく一気に流出する。また、下貯留部１５Ｂに貯留された洗浄水が勢いよく一気に減少するため、吸排気路８を介して吸排気タンク８０の第１室８２の空気が第２貯留部１５に一気に吸引される。これにより、隔膜８１が変形し、第１室８２の容量が減少するとともに、第２室８３の容量が増加する。このため、便器排水路３の空気が第２室８３内に勢いよく吸引される。よって、浮遊汚物Ｅ２は便器排水路３へ押し込まれるように排出されるとともに、便鉢２内の水位は僅かに上昇する。これにより、サイホン作用は継続され、汚物排出能力が強化されるため、浮遊汚物Ｅ２を便器本体１から確実に排出することができる。
【００４７】
したがって、実施例２の洗浄タンク装置４０を備えた水洗式便器も、便器洗浄を良好に行うことができる。
【００４８】
その後、実施例１の水洗式便器と同様、排水口１２から流出する洗浄水の流量が減少するため、便鉢２内の水位は低下し、封水が破封してサイホン作用が終了する。その後に排水口１２からリム通水路５を介して便鉢２内に流出した洗浄水により、便鉢２内の水位は上昇し、覆水が完了する。その後、ゴム玉２１は弁座２２に着座し、排水口１２は封鎖される。タンク本体１１内には、水が最高水位Ｌ１になるまでボールタップ３０により洗浄水が供給される。これにより、水洗式便器は便器洗浄の待機状態に復帰する。
【実施例３】
【００４９】
実施例３の水洗式便器の洗浄タンク装置５０では、図１０に示すように、上貯留部１５Ａと下貯留部１５Ｂとを区画する隔壁５６に貫設された第１連通孔５６Ａが筒体１７の内側面の近傍に設けられている。また、上部壁１８には、第１連通孔５６Ａの上方に下端が開口したネジ孔５２が設けられている。ネジ孔５２には、軸部にパッキン５１Ａが嵌められ、先端がとがったボルト５１が螺合している。ボルト５１の先端部は、ネジ孔５２の下端開口から突出し、第１連通孔５６Ａに対して進退可能である。このため、図１１に示すように、ボルト５１は、ねじ込み具合により第１連通孔５６Ａの開口面積を無段階で微調整可能である絞り機構を構成している。他の構成は、実施例１と同様であり、図示を省略するとともに、同一の構成には同一の符号を付し、詳細な説明を省略する。
【００５０】
この洗浄タンク装置５０を備えた水洗式便器では、洗浄タンク本体１１の上方からボルト５１のねじ込み具合を操作して、第１連通孔５６Ａの開口面積を微調整することができる。これにより、上貯留部１５Ａに貯留された洗浄水が第１連通孔５６Ａを通じて下貯留部１５Ｂに流下し終えるまでに要する時間を変更することができる。このため、排水口１２からリム通水路５を介して便鉢２内に流出する洗浄水の流量を増加させるタイミング及び便器排水路３からの空気の吸引流量を増加させるタイミングを容易に変更することができ、これらタイミングを便器洗浄に最適にすることができる。また、この水洗式便器の便器洗浄は、実施例１の水洗式便器と同様であり、他の作用効果は実施例１と同様である。
【００５１】
したがって、実施例３の洗浄タンク装置５０を備えた水洗式便器も、便器洗浄を良好に行うことができる。
【実施例４】
【００５２】
実施例４の水洗式便器の洗浄タンク装置６０では、図１２及び図１３に示すように、上貯留部１５Ａと下貯留部１５Ｂとを区画する隔壁６６に湾曲した長円形状の第１連通孔６６Ａが貫設されている。隔壁６６には、第１連通孔６６Ａに隣接して設けられた貫通孔６６Ｂに軸部６２を挿通させた遮蔽板６１が取り付けられている。遮蔽板６１は、第１連通孔６６Ａに重なるように軸部６２を中心に回動可能である。このため、図１３に示すように、遮蔽板６１は、回動具合により第１連通孔６６Ａの開口面積を無段階で調整可能である絞り機構を構成している。軸部６２の下部表面には、回動具合が目視できるように矢印が印刷されている。他の構成は、実施例１と同様であり、図示を省略するとともに、同一の構成には同一の符号を付し、詳細な説明を省略する。
【００５３】
この洗浄タンク装置６０を備えた水洗式便器では、遮蔽板６１の回動具合を調整して、第１連通孔６６Ａの開口面積を微調整することができる。これにより、上貯留部１５Ａに貯留された洗浄水が第１連通孔６６Ａを通じて下貯留部１５Ｂに流下し終えるまでに要する時間を変更することができる。このため、排水口１２からリム通水路５を介して便鉢２内に流出する洗浄水の流量を増加させるタイミング及び便器排水路３からの空気の吸引流量を増加させるタイミングを容易に変更することができ、これらタイミングを便器洗浄に最適にすることができる。また、この水洗式便器の便器洗浄は、実施例１の水洗式便器と同様であり、他の作用効果は実施例１と同様である。
【００５４】
したがって、実施例４の洗浄タンク装置６０を備えた水洗式便器も、便器洗浄を良好に行うことができる。
【００５５】
以上において、本発明を実施例１〜４に即して説明したが、本発明は上記実施例に制限されるものではなく、その趣旨に逸脱しない範囲で適宜変更して適用できることはいうまでもない・
【００５６】
例えば、筒体１７は第１貯留部１４と区画することができればよいため、その外形状は、円形状、角形状等の任意の形状であってもよい。また、筒体１７は、上貯留部１５Ａ及び下貯留部１５Ｂの容量が所定の大きさに確保することができれば良いため、上下方向で形状が変化したり、上下方向の寸法が左右（前後）方向の寸法よりも短くなったりしてもよい。
第２貯留部１５を洗浄タンク本体１１の側壁を利用して洗浄タンク本体１１と一体的に形成してもよい。
吸排気路８は吸排気タンク８０を介装せず、上貯留部１５Ａと便器排水路３の吸排気口３Ａとを接続してもよい。
排水口１２を開閉するフロート弁は電気的に駆動されてもよい。この場合、洗浄レバーは、フロート弁を電気的に駆動する駆動装置のスイッチにしてもよい。
洗浄タンク本体１１に洗浄水を供給する給水装置は電気的に駆動されてもよい。
便器排水路３の下流端に絞り部６を設けなくてもよい。また、便器排水路３の下流端には、洗浄水が滞留する滞留部を設けてもよい。
便器本体１にジェット口を設け、洗浄タンク本体１１の排水口１２から流出する洗浄水をジェット口から便器排水路３に向けて噴出するようにしてもよい。
【図面の簡単な説明】
【００５７】
【図１】実施例１の水洗式便器を示す模式図である。
【図２】実施例１の水洗式便器の便器洗浄を示す模式図である。
【図３】実施例１の水洗式便器の便器洗浄を示す模式図である。
【図４】実施例１の水洗式便器の便器洗浄を示す模式図である。
【図５】実施例１の洗浄タンク本体の排水口からの流出流量を示すグラフである。
【図６】実施例２の水洗式便器を示す模式図である。
【図７】実施例２の水洗式便器の便器洗浄を示す模式図である。
【図８】実施例２の水洗式便器の便器洗浄を示す模式図である。
【図９】実施例２の水洗式便器の便器洗浄を示す模式図である。
【図１０】実施例３の洗浄タンク装置を示す概略図である。
【図１１】実施例３の洗浄タンク装置の一部拡大図である。
【図１２】実施例４の洗浄タンク装置を示す概略図である。
【図１３】実施例４の洗浄タンク装置の一部拡大図である。
【符号の説明】
【００５８】
１…便器本体
２…便鉢
３…便器排水路
３Ａ…吸排気口
８…吸排気路
１０、４０、５０、６０…洗浄タンク装置
１１…洗浄タンク本体
１２…排水口
１４…第１貯留部
１５…第２貯留部
１５Ａ…上貯留部
１５Ｂ…下貯留部
１６…隔壁
１６Ａ…第１連通孔
１６Ｂ…第２連通孔
１７…筒体
２０…フロート弁（排水弁）
３０…ボールタップ（給水装置）
４１…フロート
５１…ボルト（絞り機構）
６１…遮蔽板（絞り機構）
８０…吸排気タンク
８１…隔膜
８２…第１室
８３…第２室
【図１】
0005456274.tif 000002
【図２】
0005456274.tif 000003
【図３】
0005456274.tif 000004
【図４】
0005456274.tif 000005
【図５】
0005456274.tif 000006
【図６】
0005456274.tif 000007
【図７】
0005456274.tif 000008
【図８】
0005456274.tif 000009
【図９】
0005456274.tif 000010
【図１０】
0005456274.tif 000011
【図１１】
0005456274.tif 000012
【図１２】
0005456274.tif 000013
【図１３】
0005456274.tif 000014